【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ターゲットデバイスのターゲットデバイスハードウェアリソースを、プロセッサを有するホストデバイスのホストコンピューティング環境に統合する方法であって、
前記プロセッサで、前記ホストデバイスに、
前記ターゲットデバイスからの前記ターゲットデバイスハードウェアリソースの利用可能性の告知を検出することと、
ホストデバイスユーザからの、１または複数の特定のターゲットデバイスハードウェアリソースを前記ホストコンピューティング環境で使用するために借用する要求の受け取りに応じて、
前記ターゲットデバイスに、前記１または複数の特定のターゲットデバイスハードウェアリソースを前記ホストコンピューティング環境で使用するために借用する要求を送信することと、
前記ターゲットデバイスからの前記要求の受諾の受け取りに応じて、前記１または複数の特定のターゲットデバイスハードウェアリソースを前記ホストコンピューティング環境のホストデバイスリソースと統合することと
を実行させる命令を実行し、
前記ホストデバイスユーザからの前記要求が、前記１または複数の特定のターゲットデバイスハードウェアリソースを通じて、提示されるコンテンツ項目を指定し、
前記要求を前記ターゲットデバイスに送信することが、前記ターゲットデバイスに、前記ターゲットデバイスハードウェアリソースを通じて提示される前記コンテンツ項目の記述を送信することをさらに含む、方法。
【請求項２】
前記命令を実行することが、前記ホストデバイスに、前記ターゲットデバイスを通じた前記ターゲットデバイスハードウェアリソースの前記利用可能性の検出に応じて、前記ホストコンピューティング環境との統合のために前記ターゲットデバイスハードウェアリソースの前記利用可能性を前記ホストデバイスユーザに通知することをさらに実行させる、請求項１に記載の方法。
【請求項３】
前記ターゲットデバイスハードウェアリソースの前記利用可能性の前記告知を検出することが、
前記ホストデバイスからターゲット近接しきい値を受信することと、
前記ターゲットデバイスハードウェアリソースの前記利用可能性を告知するターゲットデバイスに対する前記ホストデバイスの、前記ターゲット近接しきい値内の物理的近接を検出すること
をさらに含む、請求項１に記載の方法。
【請求項４】
前記ターゲットデバイスが、前記ターゲットデバイスを通じて、少なくとも２つのターゲットデバイスハードウェアリソースの利用可能性を告知し、
前記ホストデバイスユーザからの前記要求が、前記ホストコンピューティング環境と統合される選択された１または複数のターゲットデバイスハードウェアリソースを指定し、
前記要求を前記ターゲットデバイスに送信することが、前記ターゲットデバイスに、前記選択された１または複数のターゲットデバイスハードウェアリソースのみを前記ホストコンピューティング環境で使用するために借用する要求を送信することをさらに含む、請求項１に記載の方法。
【請求項５】
前記１または複数のターゲットデバイスハードウェアリソースを選択することは、
前記ホストデバイスおよび前記ターゲットデバイスが、前記ホストデバイスのために前記選択された１または複数のターゲットデバイスハードウェアリソースの予約をスケジューリングすることに参加する、請求項４に記載の方法。
【請求項６】
ホストデバイスのプロセッサで実行されると、
ターゲットデバイスを通じてターゲットデバイスリソースの利用可能性を検出することと、
ホストデバイスユーザからの、前記ターゲットデバイスリソースをホストコンピューティング環境で使用するために借用する要求の受け取りに応じて、
前記ターゲットデバイスに、前記ターゲットデバイスリソースを前記ホストコンピューティング環境で使用するために借用する要求を送信することと、
前記ターゲットデバイスからの前記要求の受諾の受け取りに応じて、
前記ターゲットデバイスリソースを前記ホストコンピューティング環境のホストデバイスリソースと統合することと、
前記ターゲットデバイスリソースを前記ホストコンピューティング環境内で前記ホストデバイスユーザに提示することと
によって、前記ホストデバイスに、前記ターゲットデバイスの前記ターゲットデバイスリソースを前記ホストデバイスの前記ホストコンピューティング環境に統合させる命令を格納するメモリデバイスであって、
前記ホストデバイスは、選択されたアプリケーションに限定される、キュレートされたコンピューティング環境をさらに備え、
前記命令は、前記ホストデバイスに、
前記ホストコンピューティング環境の代わりに前記キュレートされたコンピューティング環境を前記ホストデバイスで提示することと、
前記キュレートされたコンピューティング環境を前記ホストデバイスで提示しながら、前記ターゲットデバイスの前記ターゲットデバイスリソースを通じて前記ホストコンピューティング環境を提示することと
をさらに実行させる、メモリデバイス。
【請求項７】
前記ホストデバイスユーザからの前記要求が、前記ターゲットデバイスリソースを使用して提示されるコンテンツ項目を指定し、
前記要求を前記ターゲットデバイスに送信することが、前記ターゲットデバイスに、前記ターゲットデバイスリソースを通じて提示される前記コンテンツ項目の記述を送信することをさらに含む、請求項６に記載のメモリデバイス。
【請求項８】
ホストデバイスのプロセッサ上で実行されたときに、
ターゲットデバイスを通じてターゲットデバイスリソースの利用可能性を検出することと、
ホストデバイスユーザからの、前記ターゲットデバイスリソースをホストコンピューティング環境で使用するために借用する要求の受け取りに応じて、
前記ターゲットデバイスに、前記ターゲットデバイスリソースを前記ホストコンピューティング環境で使用するために借用する要求を送信することと、
前記ターゲットデバイスからの前記要求の受諾の受け取りに応じて、
前記ターゲットデバイスリソースを前記ホストコンピューティング環境のホストデバイスリソースと統合することと、
前記ターゲットデバイスリソースを前記ホストコンピューティング環境内で前記ホストデバイスユーザに提示することと
によって、前記ホストデバイスに、前記ターゲットデバイスの前記ターゲットデバイスリソースを前記ホストデバイスの前記ホストコンピューティング環境に統合させる命令を格納するメモリデバイスであって、
前記ターゲットデバイスリソースが、ターゲット提示コンポーネントをさらに備え、
前記ターゲットデバイスリソースを前記ホストコンピューティング環境の前記ホストデバイスリソースに統合することは、
前記ホストデバイスのホストネットワークを使用して、コンテンツ項目を検索することと、
前記ターゲット提示コンポーネントを介して提示するために前記コンテンツ項目を前記ターゲットデバイスに送信することと
をさらに含む、メモリデバイス。
【請求項９】
前記メモリデバイスは、前記ホストデバイスのプロセッサ上で実行されたときに、前記ホストデバイスに、
前記ターゲットデバイスを通じた前記ターゲットデバイスリソースの前記利用可能性の検出に応じて、前記ホストコンピューティング環境との統合のために前記ターゲットデバイスリソースの前記利用可能性を前記ホストデバイスユーザに通知させる、請求項８に記載のメモリデバイス。
【請求項１０】
前記メモリデバイスは、前記ホストデバイスのプロセッサ上で実行されたときに、前記ホストデバイスに、
前記ターゲットデバイスと前記ホストデバイスとの間のターゲット近接しきい値を前記ターゲットデバイスに送信することと、
前記ターゲット近接しきい値内の前記ターゲットデバイスリソースの前記利用可能性を検出することと
を実行させる命令をさらに格納する、請求項８に記載のメモリデバイス。